(57)【要約】  本発明は、流体ポンプ（１０）の動きを測定するセンサアッセンブリ（１）に関する。流体ポンプ（１０）は、供給電圧（Ｖ）に接続可能である電気モータ（３０）により駆動される。センサアッセンブリ（１）は、供給端子（３４）及び信号端子（３３）を備えたバイアス回路（５１）に電気的に連結される加速度計（２）を有する。供給端子（３４）はモータ（３０）の供給電圧（Ｖ）に電気的に接続可能であり、信号端子（３３）は外部の測定端子（５５）に電気的に接続可能である。また、流体ポンプ（１０）は、シリンダ（５８）と、ピストン（５７）と、密閉式の端子（６０）を備え、密閉式のアッセンブリ（１００）を形成すべくシリンダ（５８）及びピストン（５７）を密閉式に閉じ込めるハウジング（５０）とを有する。ピストン（５７）は、密閉式の端子（６０）に連結された一対の電圧端子（６１，６２）によって電気電圧（Ｖ）に接続される電気モータ（３０）により駆動される。流体ポンプ（１０）は、シリンダ（５８）に連結されたセンサアッセンブリ（１）を有し、センサアッセンブリ（１）は、電圧端子（６１，６２）のうちの一方に接続される供給端子（３４）と外部の測定回路（５５）に電気的に接続される信号端子（３３）とを有する。
2007513321.tif 000002
【特許請求の範囲】
【請求項１】
供給電圧（Ｖ）に接続可能な電気モータ（３０）に駆動される流体ポンプ（１０）の動作を測定するセンサアッセンブリ（１）であって、
上記センサアッセンブリ（１）は加速度計（２）を有し、
上記加速度計（２）は、バイアス回路（５１）に電気的に連結され、第１及び第２の加速度トランスデューサ（４ａ，４ｂ）を構成するとともに、上記モータ（３０）の供給電圧（Ｖ）に電気的に接続可である供給端子（３４）と、外部の測定回路（５５）に対して電気的に接続可能である信号端子（３３）と、を有しているセンサアッセンブリ。
【請求項２】
第１の絶縁素子（２０’）及び第２の絶縁素子（２０’’）に接続される重り（２ａ）と、上記第１及び第２の加速度トランスデューサ（４ａ，４ｂ）と、該第１及び第２の加速度トランスデューサ（４ａ，４ｂ）から突出する信号端子（３３）及び供給端子（３４）と、を有している請求項１記載のセンサアッセンブリ。
【請求項３】
上記加速度計（２）用の支持部材（３）を少なくとも有し、該支持部材（３）は、ベース部（３ａ）を有し、該ベース部（３ａ）は、上記流体ポンプ（１０）に固定式に連結可能である請求項２記載のセンサアッセンブリ。
【請求項４】
上記第１の絶縁素子（２０’）が、上記支持部材（３）の表面（３ａ）上に配置されている請求項３記載のセンサアッセンブリ。
【請求項５】
上記第１及び第２の加速度トランスデューサ（４ａ，４ｂ），上記第２の絶縁素子（２０’’）及び重り（２ａ）が、上記第１の絶縁素子（２０’）に重なるように配置されている請求項４記載のセンサアッセンブリ。
【請求項６】
上記加速度計（２）に連結されるバイアス回路（５１）を有しており、該バイアス回路（５１）が、ハウジング（５０）の内側部（５０’）に取り付けられ、上記測定回路（５５）に接続されている請求項５記載のセンサアッセンブリ。
【請求項７】
上記バイアス回路（５１）が、上記信号端子（３３）及び供給端子（３４）に作用的に連結されるトランジスタ（５１ａ）を有している請求項６記載のセンサアッセンブリ。
【請求項８】
上記外部の測定回路（５５）が、マイクロプロセッサ（５２）を有しており、該マイクロプロセッサ（５２）は、上記信号端子（３３）によって、上記センサアッセンブリ（１）の信号を測定する請求項７記載のセンサアッセンブリ。
【請求項９】
シリンダ（５８）と、
ピストン（５７）と、
密閉式の端子（６０）を有し、密閉式のアッセンブリ（１００）を形成すべく、上記シリンダ（５８）及びピストン（５７）を密閉式に閉じ込めるハウジング（５０）とを有しており、
上記ピストン（５７）は電気モータ（３０）により駆動され、該電気モータ（３０）は、上記密閉式の端子（６０）に連結された一対の電圧端子（６１，６２）により電気電圧に接続され、
上記流体ポンプ（１０）は、上記シリンダ（５８）に連結されたセンサアッセンブリ（１）を有しており、該センサアッセンブリ（１）は供給端子（３４）及び信号端子（３３）を有し、
上記供給端子（３４）は、上記電圧端子（６１，６２）のうちの一方に接続され、上記信号端子（３３）は、外部の測定回路（５５）に電気的に接続可能である流体ポンプ。
【請求項１０】
上記センサアッセンブリ（１）が、支持部材（３）に連結された加速度計（２）を有し、該支持部材（３）が、上記密閉式のアッセンブリ（１００）に固定されている請求項９記載の流体ポンプ。
【請求項１１】
上記センサアッセンブリ（１０）が、ベース部（３ａ）を有しており、該ベース部（３ａ）が、上記密閉式のアッセンブリ（１００）に固定式に連結可能である請求項１０記載の流体ポンプ。
【請求項１２】
上記センサアッセンブリ（１）が、第１の絶縁素子（２０’）及び第２の絶縁素子（２０’’）に接続される重り（２ａ）と、第１及び第２の加速度トランスデューサ（４ａ，４ｂ）と、該第１及び第２の加速度トランスデューサ（４ａ，４ｂ）から突出する供給端子（３４）及び信号端子（３３）と、を有している請求項１１記載の流体ポンプ。
【請求項１３】
上記第１の絶縁素子（２０’）が、上記センサアッセンブリ（１）の支持部材の表面（３ａ）上に配置されている請求項１２記載の流体ポンプ。
【請求項１４】
上記第１及び第２の加速度トランスデューサ（４ａ，４ｂ），上記第２の絶縁素子（２０’’）及び重り（２ａ）が、上記第１の絶縁素子（２０’）に重なるように配置されている請求項１３記載の流体ポンプ。
【請求項１５】
上記センサアッセンブリ（１）が、上記加速度計（２）に連結されるバイアス回路（５１）を有しており、該バイアス回路（５１）が、ハウジング（５０）の内側部（５０’）に取り付けられている請求項１４記載の流体ポンプ。
【請求項１６】
上記バイアス回路（５１）が、上記信号端子（３３）及び供給端子（３４）に作用的に連結されるトランジスタ（５１ａ）を有している請求項１５記載の流体ポンプ
【請求項１７】
上記外部の測定回路（５５）が、マイクロプロセッサ（５２）を有しており、該マイクロプロセッサ（５２）は、上記信号端子（３３）によって、上記センサアッセンブリ（１）の信号を測定する請求項１６記載の流体ポンプ。
【請求項１８】
上記ハウジング（５０）が、上記供給端子（３４）及び信号端子（３３）の通路用の密閉式の端子（６０）を有している請求項１７記載の流体ポンプ。
【請求項１９】
上記請求項１〜９に記載のセンサアッセンブリ（１）を有する冷却器。
【発明の詳細な説明】
【技術分野】
【０００１】
本発明は、加速度計を備え、流体ポンプのピストンの位置を検出する上で使用されるセンサアッセンブリに関し、また、該アッセンブリを備えた流体ポンプに関し、更に、本発明の教示によるセンサアッセンブリを備えた冷却器に関する。
【背景技術】
【０００２】
リニア圧縮器（つまり流体ポンプ）は、通常シリンダとしての空洞の本体にて軸方向に取り外し可能なピストンを備えている。このピストンは、冷却サイクルにて用いられるガスを圧縮するためのものである。ピストンストロークの終わりに、ヘッドに近接して、バルブが設けられており、該バルブは、シリンダのガス入及びガス出の入口及び出口を規制するものである。これらのバルブは、それぞれ、吸気弁及び排気バルブである。
【０００３】
通常、シリンダは、ピストンの軸方向における動きによりもたらされる振動が流体ポンプが採用された装置へ伝達されることを防止するために、それを途中停止させるバネ上に静止する。
【０００４】
ポンプされる流体負荷の変化又は供給電圧の変化が原因となり、流体ポンプの動作の状態が変化するため、ピストンは、シリンダヘッドに衝突するポイントまで、許容できる制限を越えて変位させられる。このため、ピストンの動作を制御することが好ましい。
【０００５】
流体ポンプは更に機械的な衝突の影響により外部の干渉を受ける可能性がある。この問題は、特に、前述したように、シリンダ−ピストンアッセンブリがバネにより途中停止させられるリニア圧縮器においてあらわれる。この構成では、流体ポンプが組み込まれた装置（例えば衝撃を受ける家庭用冷蔵庫）の予期しない動き又は地震などの場合に、ピストン及びシリンダにより構成されるアッセンブリは、バネに対して、後者の振幅が軸方向に移動しなくなる状態となり、これにより、実質的に振り子の運動がもたらされ、装置の部品が、それらが通常収納されている区画に衝突し、区画が破壊されるおそれがある。
【０００６】
かかる問題を解決するために、誘導性のセンサの利用など、複数の解決策が提案されているが、これらの解決策は、例えば、それらを組み込んだり、上記センサを配置するようにシリンダハウジングを変更したりすることが困難であるなど、短所を有する。
【０００７】
更に、従来の解決策は、外部の衝撃の場合に、ピストン−シリンダアッセンブリの動きの安定性における干渉の問題にアプローチするものでない。
【０００８】
先行技術によるセンサの利用から生じる他の問題は、これらのセンサが付加的な電気接続の使用を要することであり、冷却系の圧縮器の場合、それらの電気接続は、単一の密閉式の端子が採用される場合に通常みられるものに加えて、上記ハウジングにおいて、電気接続用の通路を開口させる必要が生じてくるため、各ハウジングの液密性の損失をもたらすおそれがある。
【０００９】
密閉式の端子の製作は、それらの部品が良好な電気接続を保証すると同時に、ポンプに対する液密性を付与する必要があるため、とりわけ複雑であることが知られている。このため、ハウジング内において、密閉式の端子により既に予測されるものに加え、他の通路の必要性をなくすることは非常に有用である。
【発明の開示】
【発明が解決しようとする課題】
【００１０】
本発明の教示により、ピストンの動作を検知し、それにより、押し出される流体負荷の変化，供給電圧の変化、若しくは、外部の衝撃の影響による変化からもたらされる干渉による衝撃の問題を防止するセンサアッセンブリが提供される。
【００１１】
本発明の他の目的は、センサアッセンブリ及び流体ポンプ、更に、かかる素子を備えた冷却器である。ここでは、電気接続の数が最小限に抑制され、その結果、標準的に使用される接続器を使用できる長所が得られ、付加的な接続器を使用する必要を回避することができる。また、例えば、冷却式圧縮器に通常採用される密閉式の端子に使用される接続器を使用できる長所が得られる。
【課題を解決するための手段】
【００１２】
前述した本発明の目的は、流体ポンプの動作を測定するためのセンサアッセンブリにより実現される。上記流体ポンプは、電気モータにより駆動され、該電気モータは、供給電圧に接続可能である。また、上記センサは、バイアス回路に対して電気的に連結された加速度計を有する。該加速度計は、第１及び第２の加速度トランスデューサを構成し、また、供給端子及び信号端子を有している。該供給端子は、モータの供給電圧に電気的に接続可能であり、該信号端子は、外部の測定回路に電気的に接続可能である。
【００１３】
また、前述した目的は、シリンダ，ピストン，密閉式のアッセンブリを形成すべく、シリンダ及びピストンを密閉式に閉じ込める液密式の端子を備えたハウジングを有する流体ポンプにより実現される。上記ピストンは、電気モータにより駆動され、該電気モータは、密閉式の端子に連結された一対の電圧端子によって、電気電圧に連結される。上記流体ポンプは、シリンダに連結されたセンサアッセンブリを有し、該センサアッセンブリは、供給端子及び信号端子を有し、該供給端子は、電圧端子のうちの一方に接続可能であり、該信号端子は、外部の測定回路に電気的に接続可能である。
【００１４】
更に、前述した本発明の目的は、流体ポンプの動作を測定するセンサアッセンブリを有する冷却器によって実現される。流体ポンプは、電気モータにより駆動され、該電気モータは、供給電圧に接続可能である。上記センサアッセンブリは、加速度計を有し、該加速度計は、バイアス回路に電気的に連結される。該バイアス回路は、供給端子及び信号端子を有し、該供給端子は、上記モータの供給電圧に電気的に接続可能であり、また、該信号端子は、外部の測定回路に電気的に接続可能である。
【発明を実施するための最良の形態】
【００１５】
図１，２，３，４，５及び６から分かるように、本発明の開示内容によれば、センサアッセンブリ１が、支持部材３上に取り付けられた加速度計２を備えて設けられている。
【００１６】
センサアッセンブリ１は、通常、流体ポンプ１０又は冷却圧縮器に適用され、それら装置の部品は、供給電圧Ｖに接続されつつ順に作用する電気モータ３０により駆動される。冷却器は、冷蔵庫，冷凍庫又は流体ポンプを備えたいかなる種類の装置であってもよい。
【００１７】
特に、図３に関して、センサアッセンブリ１が、電気的にバイアス回路５１に連結された加速度計２を有している。
【００１８】
加速度計２は、好ましくは圧電性結晶である第１及び第２の加速度トランスデューサ４ａ，４ｂを含んでいる。
【００１９】
加速度計２は、加速度計２により測定される信号を解析するであろう測定回路５５への接続用の２つの端子、すなわち、モータ３０の供給電圧Ｖに対する直接的なセンサアッセンブリ１の電気接続用の供給端子３４、及び、測定回路５５に電気的に接続されるセンサアッセンブリ１用の信号端子３３を有している。後者は、センサアッセンブリ１とは別個に設けられ、通常流体ポンプ１０の外側に配置されている。
【００２０】
更に、センサアッセンブリ１は、支持部材３を有しており、該支持部材３の上には、バイアス回路５１及び加速度計２が適切に取り付けられている。また、支持部材３は、２つの端部をもつ平坦な金属プレートからなり、一端部でセンサアッセンブリ１を流体ポンプ１０に対して固定可能とする一方、他の自由端部で加速度計２を取付け可能とするための、少なくとも１つの孔部３ｂを備えたベース部３ａを有している。支持部材３は、加速度計２の最終的な信号との干渉を防止するために、高い剛性をもつべき部材である。ポンプシリンダ５８のストロークの終わりにピストン５７が衝撃を受ける場合に、支持部材３自体の振動が加速度計２により測定される加速度信号の波との干渉を生じるため、支持部材３は振動しないこととなる。
【００２１】
本発明の目的に必要とされる剛性を有する材料は鋼であるが、同じ機能性を有する他の材料が用いられてもよい。
【００２２】
図３に示される例では、センサアッセンブリ１が、便宜的に、流体ポンプヘッド１０に近接しつつ取り付けられる態様を確認することができる。
【００２３】
センサアッセンブリ１は、支持部材３の孔部３ｂの反対側の端部に取り付けられ、構造上、重り２ａと、第１の絶縁素子２０’と、第２の絶縁素子２０’’と、加速度計２と、加速度計２から突出する端子３３，３４とを有している。
【００２４】
好ましくは耐震性をもつ質量体からなる重り２ａは、大重量及び高い剛性を有する材料を備え、それは、通常、鋼又は本発明に必要とされる機能的特性を備えた他の材料であり、つまり、重り２ａの機能は、加速度計２へ質量体の慣性を伝達することである。
【００２５】
第１及び第２の絶縁素子２０’，２０’’は高い剛性をもつ材料で作られ、電気的絶縁を呈する。好ましくは、磁器で作られたワッシャ（washers）が用いられる。これらの特性は、ポンプ１０から生じたセンサアッセンブリ１の振動のみを分析するために、加速度計２にとって必要である。
【００２６】
支持部材３によって生じるのと同様に、重り２ａ及び絶縁素子２０’，２０’’が、かかる特性（大重量及び高剛性）を有していない場合には、後者は振動し、変形を被るであろう。また、加速度計２は、電子回路５へ送信された信号の一部であるように、これらの干渉を解析し、それを変形させることとなる。
【００２７】
信号端子３３及び供給端子３４は、好ましくは堅固な材料、つまり堅固な配線を備えており、これにより、それらによって伝送される加速度信号が、衝撃がピストン５７とシリンダ５８との間に生じる場合に配線が受ける振動による干渉を受けることはない。
【００２８】
センサアッセンブリ１の全構成部品は、プロジェクトの必要性に従い変化する環形状，厚さ及びサイズを有しており、また、支持部材３は、センサアッセンブリ１が流体ポンプ１０に固定され得るように適切な形状を有するべきである。
【００２９】
以下、加速度計の機能と併せて、構造上の形状について説明する。
【００３０】
ベース面３ａ上に、より厳密には、支持部材３の自由端部に、第１の絶縁素子２０’が配置され、第１の絶縁素子２０’の上面に、第１のトランスデューサ４ａが配置され、更に、該第１のトランスデューサ４ａの上側に、第２のトランスデューサ４ｂが配置されている。これらの構成は、加速度計２を構成し、また、本体から突出する信号端子３３及び供給端子３４を有している。
【００３１】
２つのトランスデューサ４ａ，４ｂの配置後、第２のトランスデューサ４ｂの上面には第２の絶縁素子２０’’が配置される。第２の絶縁素子２０’’は、第１の絶縁素子２０’の特性に類似した特性を有している。そして、最後に、重り２ａがアッセンブリの上面に配置される。
【００３２】
ピストン５７とシリンダ５８との間には動作の釣り合いが保たれるため、シリンダ５８の外部に固定されるセンサアッセンブリ１にとって、加速度計２との干渉をもたらすピストン５７のストロークを制御することができる。
【００３３】
好ましくは、センサアッセンブリ１を取り付ける際に、絶縁素子２０’，２０’’及び重り２ａが使用されるが、重り２ａ及び支持部材３のみ、若しくは、絶縁素子２０’，２０’’のみが用いられてもよい。絶縁素子２０’，２０’’及び重り２ａのみを使用する可能性において、後者は、電気絶縁体の特性を有するとともに、高い剛性をもつ必要がある。
【００３４】
アッセンブリの機能は、シリンダ５８内部のピストン５７の動作の異常性をモニタすることである。異常性は、例えば、ストロークの終わりにおけるピストン５７の衝突，ピストン５７の不良な機能，ピストン５７の停止等である。
【００３５】
これらの異常性は、トランスデューサ４ａ，４ｂにより検知され、それらは、外部の電子回路５５による解析のために、取得した信号を送信する。ピストン５７の加速度におけるいかなる干渉もセンサアッセンブリ１の加速度そのものに比例する。
【００３６】
シリンダとのピストン５７の衝突は、センサアッセンブリ１とともに、ポンプ１０における振動を引き起こす。センサアッセンブリ１は、加速度計２の圧縮により変更された信号を検知し、それを電子回路５へ送信する。
【００３７】
その結果、既に述べたように、後者が、シリンダ５８内部における異常性に起因するものとして解析されるため、アッセンブリは干渉を受けない。
【００３８】
この実施形態では、２つの加速度トランスデューサ４ａ，４ｂが設けられるが、更に別のトランスデューサが設けられてもよい。加速度トランスデューサ４ａ，４ｂは、圧縮軽減系にて作用し、ピストン５７がストロークの終わりにシリンダと衝突した場合に圧縮されても、ピストンが衝突を停止する場合に軽減されてもよい。
【００３９】
例えば、ピストン５７の動作をモニタするようにしてもよい。モニタは、ピストン５７の動作時に連続的に行われる。ピストン５７は、流体がシリンダ５８内へ流れ込むことを可能とする間に、加速度トランスデューサ４ａ，４ｂは、圧縮された状態にされ、また、流体が押し出された場合に、加速度トランスデューサ４ａ，４ｂは伸張し、これにより、標準的な圧縮及び伸張信号が生成される。ピストン５７がシリンダ５８で往復運動する際に、この信号は干渉を受け、それは、曲線２１，２２に示されるように、加速度計２及び回路５５により解析される。
【００４０】
加速度計２により収集された信号は、物理的なマグニチュード（加速度，このマグニチュードにおける増減）から電気信号に変換され、電子回路５に読まれる。電子回路５は、センサアッセンブリ１に近接して配置されるバイアス回路５１と、外部の測定回路５５とを有している。好ましくは、電子回路５は、電子回路５とセンサアッセンブリ１との間に、取得された加速度信号における干渉をもたらすであろう配線空間がないように、センサアッセンブリ１に近接して配置される必要がある。つまり、これらの構成は、互いに近接して配置される必要がある。この点に関して、センサアッセンブリ１の電子部品は、電流負荷が各配線により浪費されることを防止するために、構造上互いに隣接して取り付けられる必要のあることが理解されるべきである。
【００４１】
図５は、本発明の教示によるセンサアッセンブリ１により実行される幾つかの測定結果を示しており、ここでは、測定回路５５が、マグニチュードを増幅させるバイアス回路５１を介して、加速度計２から信号を受ける。より詳しくは、加速度計２からの信号のインピーダンスは、適切な振幅及びインピーダンスの電気信号を送るべく、トランジスタ５１ａにより抑制され、その結果、外部回路５５が、接続器５４により信号を受信し、それを認識することとなる。トランジスタ５１ａは、機能性のために、回路の高インピーダンスにより、ＦＥＴタイプのものである。更に、このタイプのトランジスタ５１ａを用いた場合には、センサアッセンブリ１が、電流を供給するための高性能を有することから、種々のタイプの測定回路として有用である。トランジスタ５１ａは、信号端子及び供給端子３３，３４に作用的に連結されている。
【００４２】
図５から分かるように、冷却系内のリニア圧縮器におけるセンサアッセンブリ１により測定される信号は、各グラフに示されるように変化することとなる。
【００４３】
通常の動作状態では、信号は、曲線２０に見られるように、実質的に乱れのない変化を示す。（本発明の目的でないため、ここでは説明しない）制御ルーチンにより取得された、いかなるフォーマットのものであってもよい。
【００４４】
曲線２１及び２２は、それぞれ、ピストン５７がシリンダ５８のストロークの終わりに僅かな衝撃を受けている状態（曲線２１参照）、及び、圧縮器が外部の衝撃を受けている状態（曲線２２参照）を示すものである。
【００４５】
圧縮器の標準的な機能性に対する曲線２１の偏差から生じる問題を修正するために、制御ルーチン（不図示）がこの機能を実行してもよい。
【００４６】
更に、本発明の教示にしたがって、流体ポンプ１０上にセンサアッセンブリ１を取り付けた場合には、このアッセンブリは、シリンダ５８内部で軸方向に動くピストン５８の動きを測定するために用いられるであろう。これらの構成（ピストン５７及びシリンダ５８）は、ハウジング５０の内部に閉じこめられたままであり、ハウジング５０は、各電気接続用の密閉式の端子６０を有し、密閉式のアッセンブリ１００を構成している。ハウジング５０が装置の使用寿命を通じて密閉式である必要があるため、ハウジング５０の壁部を通過し、各内側部５０’に侵入する全ての電気接続は、密閉式の端子６０を通じて確保されることが好ましく、かかるタイプは、市場で見つけられる装置の部品において既にみられる。センサアッセンブリ１は、好ましくは、シリンダ５８の外部領域に組み込まれるが、それは、流体ポンプ１０のハウジング５０の内側部５０’の他の箇所に取り付けられても、若しくは、ハウジング５０の外側にさえ取り付けられてもよい。その場合には、使用及び可能なメンテナンスサービスに関して、迅速で、安全で、安価で信用性の高い組み込みが可能となる。
【００４７】
以上の結果、ハウジング５０の液密性の損失を回避することができ、加えて、センサアッセンブリ１の接続用の付加的な通路の提供を回避する利点が得られる。
【００４８】
このように、ハウジング５０の内側部５０’から外側へ、たった３つの接続器、すなわち、
モータ３０に供給するための２つの接続器（すなわち、電圧端子６１，６２）と、
例えばマイクロプロセッサ５２を有する外部の測定回路５５に対して電気的に接続可能である信号端子３３へのたった１つの接続器とが構成される。
【００４９】
図６は、リニア圧縮器が、密閉式の端子６０を通過する信号通路接続器６３によって測定回路５５へ直接に接続される信号端子３３を有する例を示している。供給端子３４は、電圧端子６１，６２（図５の例の印６１’参照）のうちの１つに直接連結されてもよい。後者は、モータ３０の供給電圧Ｖに直接に接続されている。
【００５０】
以上、好適な形態について説明されたが、添付の請求の範囲の内容により限定される本発明の要旨は、他の可能性のある変形物も包含し、他の可能性のある均等物を含むものと理解されるべきである。
【図面の簡単な説明】
【００５１】
【図１】本発明の教示による加速度計を有するセンサアッセンブリの斜視図である。
【図２】本発明の教示による加速度計を有するセンサアッセンブリを概略的に示す図である。
【図３】本発明の教示によるセンサアッセンブリを備えた圧縮器の形式をした流体ポンプの一実施例の斜視図である。
【図４】本発明の教示によるセンサアッセンブリを取り付ける形式と同様に、ピストンの振幅を制御する電子回路の一例である。
【図５】本発明の教示による加速度計を備えたセンサアッセンブリで測定された信号の例である。
【図６】圧縮器が本発明の教示によるセンサアッセンブリを備えた例を概略的に示す図である。
【図１】
2007513321.tif 000003
【図２】
2007513321.tif 000004
【図３】
2007513321.tif 000005
【図４】
2007513321.tif 000006
【図５】
2007513321.tif 000007
【図６】
2007513321.tif 000008
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
供給電圧（Ｖ）に接続可能な電気モータ（３０）に駆動される流体ポンプ（１０）の動作を測定するセンサアッセンブリ（１）であって、
上記センサアッセンブリ（１）は加速度計（２）を有し、
上記加速度計（２）は、バイアス回路（５１）に電気的に連結され、第１及び第２の加速度トランスデューサ（４ａ，４ｂ）を構成するとともに、上記モータ（３０）の供給電圧（Ｖ）に電気的に接続可である供給端子（３４）と、外部の測定回路（５５）に対して電気的に接続可能である信号端子（３３）と、を有しているセンサアッセンブリ。
【請求項２】
第１の絶縁素子（２０’）及び第２の絶縁素子（２０’’）に接続される重り（２ａ）と、上記第１及び第２の加速度トランスデューサ（４ａ，４ｂ）と、該第１及び第２の加速度トランスデューサ（４ａ，４ｂ）から突出する信号端子（３３）及び供給端子（３４）と、を有している請求項１記載のセンサアッセンブリ。
【請求項３】
上記加速度計（２）用の支持部材（３）を少なくとも有し、該支持部材（３）は、ベース部（３ａ）を有し、該ベース部（３ａ）は、上記流体ポンプ（１０）に固定式に連結可能である請求項２記載のセンサアッセンブリ。
【請求項４】
上記第１の絶縁素子（２０’）が、上記支持部材（３）の表面（３ａ）上に配置されている請求項３記載のセンサアッセンブリ。
【請求項５】
上記第１及び第２の加速度トランスデューサ（４ａ，４ｂ），上記第２の絶縁素子（２０’’）及び重り（２ａ）が、上記第１の絶縁素子（２０’）に重なるように配置されている請求項４記載のセンサアッセンブリ。
【請求項６】
上記加速度計（２）に連結されるバイアス回路（５１）を有しており、該バイアス回路（５１）が、ハウジング（５０）の内側部（５０’）に取り付けられ、上記測定回路（５５）に接続されている請求項５記載のセンサアッセンブリ。
【請求項７】
上記バイアス回路（５１）が、上記信号端子（３３）及び供給端子（３４）に作用的に連結されるトランジスタ（５１ａ）を有している請求項６記載のセンサアッセンブリ。
【請求項８】
上記外部の測定回路（５５）が、マイクロプロセッサ（５２）を有しており、該マイクロプロセッサ（５２）は、上記信号端子（３３）によって、上記センサアッセンブリ（１）の信号を測定する請求項７記載のセンサアッセンブリ。
【請求項９】
シリンダ（５８）と、
ピストン（５７）と、
密閉式の端子（６０）を有し、密閉式のアッセンブリ（１００）を形成すべく、上記シリンダ（５８）及びピストン（５７）を密閉式に閉じ込めるハウジング（５０）とを有しており、
上記ピストン（５７）は電気モータ（３０）により駆動され、該電気モータ（３０）は、上記密閉式の端子（６０）に連結された一対の電圧端子（６１，６２）により電気電圧に接続され、
上記流体ポンプ（１０）は、上記シリンダ（５８）に連結されたセンサアッセンブリ（１）を有しており、該センサアッセンブリ（１）は供給端子（３４）及び信号端子（３３）を有し、
上記供給端子（３４）は、上記電圧端子（６１，６２）のうちの一方に接続され、上記信号端子（３３）は、外部の測定回路（５５）に電気的に接続可能であり、
上記センサアッセンブリ（１）が、上記加速度計（２）に連結されるバイアス回路（５１）を有しており、該バイアス回路（５１）が、ハウジング（５０）の内側部（５０’）に取り付けられている流体ポンプ。
【請求項１０】
上記センサアッセンブリ（１）が、支持部材（３）に連結された加速度計（２）を有し、該支持部材（３）が、上記密閉式のアッセンブリ（１００）に固定されている請求項９記載の流体ポンプ。
【請求項１１】
上記センサアッセンブリ（１０）が、ベース部（３ａ）を有しており、該ベース部（３ａ）が、上記密閉式のアッセンブリ（１００）に固定式に連結可能である請求項１０記載の流体ポンプ。
【請求項１２】
上記センサアッセンブリ（１）が、第１の絶縁素子（２０’）及び第２の絶縁素子（２０’’）に接続される重り（２ａ）と、第１及び第２の加速度トランスデューサ（４ａ，４ｂ）と、該第１及び第２の加速度トランスデューサ（４ａ，４ｂ）から突出する供給端子（３４）及び信号端子（３３）と、を有している請求項１１記載の流体ポンプ。
【請求項１３】
上記第１の絶縁素子（２０’）が、上記センサアッセンブリ（１）の支持部材の表面（３ａ）上に配置されている請求項１２記載の流体ポンプ。
【請求項１４】
上記第１及び第２の加速度トランスデューサ（４ａ，４ｂ），上記第２の絶縁素子（２０’’）及び重り（２ａ）が、上記第１の絶縁素子（２０’）に重なるように配置されている請求項１３記載の流体ポンプ。
【請求項１５】
上記バイアス回路（５１）が、上記信号端子（３３）及び供給端子（３４）に作用的に連結されるトランジスタ（５１ａ）を有している請求項１４記載の流体ポンプ
【請求項１６】
上記外部の測定回路（５５）が、マイクロプロセッサ（５２）を有しており、該マイクロプロセッサ（５２）は、上記信号端子（３３）によって、上記センサアッセンブリ（１）の信号を測定する請求項１５記載の流体ポンプ。
【請求項１７】
上記ハウジング（５０）が、上記供給端子（３４）及び信号端子（３３）の通路用の密閉式の端子（６０）を有している請求項１６記載の流体ポンプ。
【請求項１８】
上記請求項１〜９に記載のセンサアッセンブリ（１）を有する冷却器。
【手続補正２】
【補正対象書類名】明細書
【補正対象項目名】００１３
【補正方法】変更
【補正の内容】
【００１３】
また、前述した目的は、シリンダ，ピストン，密閉式のアッセンブリを形成すべくシリンダ及びピストンを密閉式に閉じ込める液密式の端子を備えたハウジングを有する流体ポンプにより実現される。上記ピストンは、電気モータにより駆動され、該電気モータは、密閉式の端子に連結された一対の電圧端子によって、電気電圧に連結される。上記流体ポンプは、シリンダに連結されたセンサアッセンブリを有し、該センサアッセンブリは、供給端子及び信号端子を有し、該供給端子は、電圧端子のうちの一方に接続可能であり、該信号端子は、外部の測定回路に電気的に接続可能であり、該センサアッセンブリは上記加速度計に連結されたバイアス回路を有し、該バイアス回路は、上記ハウジングの内側部に取り付けられている。
【国際調査報告】
2007513321.tif 000009
2007513321.tif 000010
2007513321.tif 000011